(57)【要約】【課題】飲料水の改質効果が高く、その活性化の度合いが高く、しかも、改質効果および活性化状態が長期間に亘って維持される改質飲料水を提案すること。【解決手段】  改質飲料水１０は、純水５にナノメートルオーダーの微細気泡が含まれている改質飲料水であり、微細気泡は水素酸素混合ガスの微細気泡であり、当該微細気泡は５０ナノメートル〜４００ナノメートルの粒径であり、水素酸素混合ガスは、純水を電気分解することにより生成した水素と酸素がモル比で２：１の割合で含まれている水素酸素混合ガスである。水素酸素混合ガスがナノメートルオーダーの微細気泡の形態で混合されているので、微細気泡が飲料水内に混合した状態が長期に亘って維持され、ボトル詰めなどの形態で販売した場合においても、微細気泡の混合状態が維持され、開封後においても短時間のうちに微細気泡が放出してしまうことがない。【選択図】図１
2010284598.tif 000002
【特許請求の範囲】
【請求項１】
飲料水にナノメートルオーダーの微細気泡が含まれている改質飲料水であって、
前記微細気泡は水素酸素混合ガスの微細気泡であり、
前記微細気泡は５０ナノメートル〜５００ナノメートルの粒径であり、
前記水素酸素混合ガスは、純水を電気分解することにより生成した水素と酸素がモル比で２：１の割合で含まれている水素酸素混合ガスであることを特徴とする改質飲料水。
【請求項２】
前記飲料水に対する前記微細気泡の混合量は、前記飲料水１立方メートルに対して、前記水素酸素混合ガスを前記微細気泡の状態で１〜１０００リットル／時間の割合で供給することにより得られた混合量であることを特徴とする請求項１に記載の改質飲料水。
【請求項３】
前記飲料水は純水であることを特徴とする請求項１または２に記載の改質飲料水。
【請求項４】
請求項１ないし３のうちのいずれかの項に記載の改質飲料水を製造するための飲料水の改質装置であって、
飲料水から純水を生成する純水器と、
前記純水器から供給される純水を電気分解して水素および酸素がモル比で２：１の比で含まれている水素酸素混合ガスを生成する水素酸素混合ガス発生器と、
前記飲料水または前記純水器から供給される純水に対して、前記水素酸素混合ガス発生器から供給される水素酸素混合ガスを所定の加圧状態で微細気泡の状態で混合して、改質飲料水を生成するナノバブル混合器とを有していることを特徴とする飲料水の改質装置。
【請求項５】
前記飲料水を前記ナノバブル混合器に供給する供給経路の途中、または、前記純水器において生成された純水を前記ナノバブル混合器に供給する供給経路の途中に配置された混合器を有し、
当該混合器は、前記飲料水または前記純水器から供給される純水に前記水素酸素混合ガス発生器から供給される水素酸素混合ガスを混合して水素酸素ガス混合水を生成し、当該水素酸素ガス混合水を前記ナノバブル混合器に供給することを特徴とする請求項４に記載の飲料水の改質装置。
【請求項６】
前記純水器に供給される飲料水を貯留する給水タンクと、
前記ナノバブル混合器において生成された改質飲料水を貯留する改質飲料水タンクとを有していることを特徴とする請求項４または５に記載の飲料水の改質装置。
【発明の詳細な説明】
【技術分野】
【０００１】
本発明は、水素酸素混合ガスを飲料水に混合して得られる改質飲料水、および、水素酸素混合ガスを飲料水に混合して改質飲料水を生成する飲料水の改質装置に関する。
【背景技術】
【０００２】
飲料水の改質活性化方法としては飲料水に水素ガスを混合、溶解させることが知られており、水素ガスを含む飲料水は水素水として知られている。しかしながら、近年においては、水素水を多量に摂取すると体内に吸収される水素が過剰となり、却って人体に悪影響が及ぶことが懸念されている。
【０００３】
この水素水に代わって、水素酸素混合ガスを混合、溶解させることにより改質、活性化した水素酸素水と呼ばれる改質飲料水が着目されている。このような水素酸素水は特許文献１に開示されている。特許文献１においては、入浴水を循環させながら水素酸素混合ガスを混合することにより、十分な量の水素酸素混合ガスを入浴水に混合して入浴水の浄化、殺菌などを行なうようにしている。また、水素酸素混合ガスを生成するために用いる純水の一部を飲料用として取り出し、その供給口の手前で水素酸素混合ガスを混合するようにしており、純水に溶け込んだ水素と酸素が再び気化する前に、これを飲料することにより、所望の美容効果などが得られることが記載されている。
【０００４】
一方、飲料水などの改質、活性化に関しては、ナノメートルオーダーの微細気泡（ナノバブル）の作用効果が注目されている。特許文献２にはナノバブルの特性について開示さており、特許文献３にはナノバブルを発生させるための方法および装置が開示されている。
【０００５】
なお、純水を電気分解して水素酸素混合ガスを生成する方法、装置は、特許文献４、５、６などに開示されている。
【先行技術文献】
【特許文献】
【０００６】
【特許文献１】特開２００６−６８５８７号公報
【特許文献２】特開２００４−１２１９６２号公報
【特許文献３】特開２００８−３０００２号公報
【特許文献４】特開２００４−２０４３４７号公報
【特許文献５】特許第３１３００１４号公報
【特許文献６】特開平１０−２６６９００号公報
【発明の概要】
【発明が解決しようとする課題】
【０００７】
本発明者は、水素酸素水およびナノバブル化の効能に着目し、水素酸素混合ガスをナノバブル化して飲料水に混合することにより、飲料水の改質効果を高め、その活性化を促進でき、しかも、改質効果および活性化状態が長期間に亘って維持できることを見出した。
【０００８】
本発明の課題は、この点に鑑みて、飲料水の改質効果が高く、その活性化の度合いが高く、しかも、改質効果および活性化状態が長期間に亘って維持される改質飲料水を提案することにある。また、本発明の課題は、このような改質飲料水を生成するための飲料水の改質装置を提案することにある。
【課題を解決するための手段】
【０００９】
上記の課題を解決するために、本発明は、
飲料水にナノメートルオーダーの微細気泡が含まれている改質飲料水であって、
前記微細気泡は水素酸素混合ガスの微細気泡であり、
前記微細気泡は５０ナノメートル〜４００ナノメートルの粒径であることを特徴としている。
【００１０】
水素酸素混合ガスがナノメートルオーダーの微細気泡の形態で混合されている場合には、微細気泡が飲料水内に混合した状態が長期に亘って維持される。したがって、ボトル詰めなどの形態で販売した場合においても、微細気泡の混合状態が維持され、開封後においても短時間のうちに微細気泡が放出してしまうことがない。よって、水素酸素混合ガスが経口摂取されて、人体の組織の活性化などの作用効果が得られる。
【００１１】
また、本発明の改質飲料水では微細気泡の径が５０ナノメートルから５００ナノメートルの範囲内としてある。５００ナノメートルを超える径の微細気泡は人体の細胞組織への吸収性が低下してしまうので好ましくなく、５０ナノメートルよりも小さい径の微細気泡は細胞組織に対する圧壊作用が発生するおそれがあるので好ましくない。
【００１２】
本発明において、前記水素酸素混合ガスは、純水を電気分解することにより生成した水素と酸素がモル比で２：１の割合で含まれている水素酸素混合ガスである。純水を電気分解して得られるブラウンガスなどとして知られている水素と酸素がモル比で２：１の割合で含まれている水素酸素混合ガスは、水素ガスおよび酸素ガスを混合して得られる水素酸素混合ガスとは性状を異にし、具体的な技術的理由は未だ解明されていないものの、飲料水の浄化、滅菌、活性化作用などの有用な効果が得られることが知られている。
【００１３】
本発明において、前記飲料水に対する前記微細気泡の混合量は、前記飲料水１立方メートルに対して、前記水素酸素混合ガスを前記微細気泡の状態で１〜１０００リットル／時間の割合で供給することが望ましい。これよりも少ない混合量では水素酸素混合ガスによる作用効果を期待できず、これよりも多い混合量とすることは実用的でなく、作用効果の向上も見られない。
【００１４】
本発明において、前記飲料水としては、地下水、海洋深層水などの天然水、水道水、純水、または、純水などの飲料水に各種のミネラル成分などを混合させたものを用いることができる。純水を用いる場合には、改質飲料水の生成過程において純水を電気分解して水素酸素混合ガスを生成することができるので、改質飲料水を生成するための改質装置において飲料水供給源および純水供給源を併設する必要がなく、装置を小型でコンパクト化できる。
【００１５】
次に、本発明は、上記の改質飲料水を製造するための飲料水の改質装置であって、
飲料水から純水を生成する純水器と、
前記純水器から供給される純水を電気分解して水素および酸素が２モル：１モルの比で含まれている水素酸素混合ガスを生成する水素酸素混合ガス発生器と、
前記飲料水または前記純水器から供給される純水に対して、前記水素酸素混合ガス発生器から供給される水素酸素混合ガスを所定の加圧状態で微細気泡の状態で混合して、改質飲料水を生成するナノバブル混合器とを有していることを特徴としている。
【００１６】
ここで、前記飲料水を前記ナノバブル混合器に供給する供給経路の途中、または、前記純水器において生成された純水を前記ナノバブル混合器に供給する供給経路の途中に配置された混合器を有し、当該混合器において、前記飲料水または前記純水器から供給される純水に、前記水素酸素混合ガス発生器から供給される水素酸素混合ガスを混合して水素酸素ガス混合水を生成し、当該水素酸素ガス混合水を前記ナノバブル混合器に供給するようにしてもよい。
【００１７】
また、一般的には、改質装置には、前記純水器に供給される飲料水を貯留する給水タンクと、前記ナノバブル混合器において生成された改質飲料水を貯留する改質飲料水タンクとが配置される。
【発明の効果】
【００１８】
本発明によれば、水素酸素混合ガスの微細気泡が飲料水に混合されており、微細気泡の径が５０〜４００ナノメートルとなっている。水素酸素混合ガスが飲料水に混合している状態が長期に亘って維持され、水素酸素混合ガスの微細気泡が人体細胞組織に吸収されやすいので、本発明によれば、人体細胞組織の活性化などの効能に優れた改質飲料水が得られる。
【図面の簡単な説明】
【００１９】
【図１】本発明を適用した飲料水の改質装置の一例を示す概略構成図である。
【図２】図１の改質装置の変形例を示す概略構成図である。
【発明を実施するための形態】
【００２０】
以下に、図面を参照して、本発明の改質飲料水を製造するための飲料水の改質装置の実施の形態を説明する。
【００２１】
図１は飲料水の改質装置を示す概略構成図である。飲料水の改質装置１は、給水タンク２を備えており、この給水タンク２に蓄えた処理対象の飲料水３が純水器４に供給される。純水器４において飲料水から生成された純水５は、水素酸素混合ガス発生器６に供給される。水素酸素混合ガス発生器６は、純水５を電気分解して水素酸素混合ガス７を発生する電解槽を備えている。
【００２２】
たとえば、円筒状の密閉容器である電解槽内に一定の間隔で円筒状の陽極および陰極を同心状に交互に配置しておき、この電解槽内に、水酸化カリウムなどの導電性物質を溶解させた純水を入れ、電極に通電することにより、純水を電気分解する。この結果、陽極から発生する酸素と陰極から発生する水素が密閉容器内で混合して水素酸素混合ガスが生成される。
【００２３】
一方、純水器４からはナノバブル混合器８にも純水５が供給される。ナノバブル混合器８には、水素酸素混合ガス発生器６から水素酸素混合ガスも供給される。ナノバブル混合器８は高圧ポンプ９を備えており、高圧下で圧送される純水５内に水素酸素混合ガス７を同じく高圧下で噴射することにより、水素酸素混合ガス７を微細気泡化（ナノバブル化）した状態で純水に注入して混合する。水素酸素混合ガスの微細気泡（ナノバブル）が混合して改質された改質飲料水１０は改質飲料水タンク１１に供給される。このようにして、改質飲料水タンク１１には、水素酸素混合ガス７が微細気泡の状態で混合されていると共に、当該水素酸素混合ガスの一部が溶解している状態の改質飲料水１０が貯留される。ここから、改質飲料水を直接に摂取することができ、また、ボトルなどに小分けして配送することができる。
【００２４】
なお、ナノバブル混合器８は、例えば、先に述べた特許文献２に開示の超微細気泡発生方法により超微細気泡（ナノバブル）を発生させる機構を採用することができる。この代わりに、超音波振動発生器を用いた超微細気泡発生器を用いることも可能である。
【００２５】
次に、図２は、改質装置１の変形例を示す概略構成図である。この図に示す改質装置２０の基本構成は改質装置１と同一であるので対応する部位には同一の符号を付してあり、それらの説明は省略する。改質装置２０においては、純水器４において生成された純水をナノバブル混合器８に供給する供給経路２１の途中に、混合器２２が配置されている。
【００２６】
混合器２２には、水素酸素混合ガス発生器６から水素酸素混合ガスが供給されている。この混合器２２おいては、純水器４から供給される純水５に水素酸素混合ガス発生器６からの水素酸素混合ガス７を混合して水素酸素混合水を生成する。この水素酸素混合水２３がナノバブル混合器８に供給される。このように、水素酸素混合ガスを二段階で純水に混合することにより、効率よく、所定量の水素酸素混合ガスが含まれる改質飲料水を生成することができる。
【００２７】
なお、図１、図２の例では、飲料水から生成した純水に水素酸素混合ガスを混合するようにしている。この代わりに、図１、２において想像線で示すように、飲料水をナノバブル混合器８に直接に供給し、当該飲料水に水素酸素混合ガスを混合して改質飲料水を得るようにしてもよい。
【符号の説明】
【００２８】
１、２０    飲料水の改質装置
２    給水タンク
３    飲料水
４    純水器
５    純水
６    水素酸素混合ガス発生器
７    水素酸素混合ガス
８    ナノバブル混合器
９    高圧ポンプ
１０  改質飲料水
１１  改質飲料水タンク
２１  供給経路
２２  混合器
２３  水素酸素混合水
【図１】
2010284598.tif 000003
【図２】
2010284598.tif 000004